(57)【要約】  【課題】土着のウスチャバネヒメカゲロウを捕食天敵として利用することで、アブラムシ類を防除可能な生物農薬を実現し、かつウスチャバネヒメカゲロウの大量増殖法を実現する。  【解決手段】ウスチャバネヒメカゲロウの卵や幼虫、蛹、成虫の入った容器を圃場やハウス内に散布または設置することにより、周囲の環境を汚染したりすることもなく、安全かつ効果的に、土着天敵によって害虫を防除する。ウスチャバネヒメカゲロウの大量増殖のために、ウスチャバネヒメカゲロウの餌となるアブラムシ類の好む植物体と、幼虫用の穴の有るダンボールと、幼虫の足場となるスチロールネットや紙片などを増殖容器内に入れておく。【選択図】          図１
2005272353.tif 000002
【特許請求の範囲】
【請求項１】
少なくともウスチャバネヒメカゲロウが害虫防除用の生物農薬として管理されている生物であることを特徴とする害虫防除用生物農薬。
【請求項２】
ウスチャバネヒメカゲロウが卵、幼虫、蛹および成虫からなる群から選択される１以上であることを特徴とする請求項１に記載の生物農薬。
【請求項３】
剤型がウスチャバネヒメカゲロウの卵および／または幼虫および／または蛹および／または成虫の入った瓶その他の容器または袋類であることを特徴とする請求項１または請求項２に記載の生物農薬。
【請求項４】
防除対象害虫がアブラムシ類であることを特徴とする請求項１、請求項２または請求項３に記載の生物農薬。
【請求項５】
ウスチャバネヒメカゲロウの卵および／または幼虫および／または蛹および／または成虫を害虫防除のための天敵として使用することを特徴とする害虫防除方法。
【請求項６】
ウスチャバネヒメカゲロウの卵および／または幼虫および／または蛹および／または成虫をスチロール片、小紙片に付着、または瓶その他の容器または袋類に入れ、これを圃場に散布あるいは設置することにより害虫を防除することを特徴とする請求項５に記載の害虫防除方法。
【請求項７】
ウスチャバネヒメカゲロウの餌となるアブラムシ類の好む植物体を用いてウスチャバネヒメカゲロウを大量増殖することを特徴とする害虫防除用生物農薬の生産方法。
【請求項８】
ウスチャバネヒメカゲロウを大量増殖するための環境温度を20〜30℃にすることを特徴とする請求項７に記載の害虫防除用生物農薬の生産方法。
【請求項９】
ダンボールを使って蛹を回収することを特徴とする請求項７または請求項８に記載の害虫防除用生物農薬の生産方法。
【請求項１０】
発泡樹脂片を使って卵を回収することを特徴とする請求項７、請求項８または請求項９に記載の害虫防除用生物農薬の生産方法。
【請求項１１】
吸引手段を有する装置を使って成虫を瓶その他の容器または袋類に回収することを特徴とする請求項７、請求項８、請求項９または請求項１０に記載の害虫防除用生物農薬の生産方法。
【発明の詳細な説明】
【技術分野】
【０００１】
本発明はウスチャバネヒメカゲロウ（Micromus timidus Hagen）を天敵として利用する生物農薬に関する。
【背景技術】
【０００２】
果菜および花き類はアブラムシ類の被害を受けることが多い。アブラムシ類は直接的な加害のみならず、ウイルス病の媒介者としても大きな被害をもたらす場合がある。
【０００３】
前記害虫の防除は主として化学合成殺虫剤の散布によって行われている。しかし、殺虫剤抵抗性系統の出現により、化学合成殺虫剤のみの防除はきわめて困難となっている。アブラムシ類は薬剤抵抗性を獲得しやすいため、その被害は特に大きい。アブラムシ類の薬剤抵抗性獲得を回避するため、農薬使用者はその作用機作や、種類の異なる化学合成薬剤を頻繁に散布する必要がある。また、環境汚染や使用者に対する影響の懸念から、化学合成殺虫剤に代わる有効な害虫防除剤が待望されている。
【０００４】
上記のような理由から、常に新規の化学合成殺虫剤を開発しなければならないが、薬剤抵抗性系統の出現があまりにも早いことから、抵抗性の出現しない殺虫剤の開発が期待されている。このような背景から、近年、害虫防除資材として、寄生性および捕食性の昆虫類などを利用した生物農薬が農薬として登録されるに至っている。該生物農薬は従来の化学合成殺虫剤とは異なり、化合物を用いないため、前記のような問題を回避している。
【０００５】
しかし、現在生物農薬として使用されている寄生性および捕食性の昆虫類はそのほとんどが外国産の天敵であるため、国内生態系に対する影響が懸念されている。これに対し、特開2003−325078号公報には、土着天敵による生物農薬が提案されているが、この場合の天敵農薬であるリュウキュウツヤテントウは、主としてコナジラミ類、特にシルバーリーフコナジラミを防除対象としたものであって、アブラムシ類に対してはあまり有効とはいえない。
【特許文献１】特開2003−325078
【発明の開示】
【発明が解決しようとする課題】
【０００６】
本発明の技術的課題は、このような問題に着目し、捕食性天敵をアブラムシ類の防除に用いることで、抵抗性獲得系統出現を回避できること、すでに化学合成殺虫剤抵抗性を獲得したアブラムシ類に対しても安定した防除効果が得られることから、従来の化学合成農薬の上記の問題を解決することである。また、土着天敵を用いることで、外国産の輸入天敵の上記の問題を解決でき、さらに大量増殖が可能な土着天敵を利用した生物農薬とその製造方法を提供するものである。
【課題を解決するための手段】
【０００７】
本発明者らは、上記問題を解決すべく鋭意研究を重ねる中で、土着天敵であるウスチャバネヒメカゲロウがアブラムシ類に対する生物農薬として使用できることを見いだし、これを利用した生物農薬およびその大量増殖法を創出し、本発明を完成するに至った。
【０００８】
前記ウスチャバネヒメカゲロウは、その生育段階が卵および幼虫、蛹、成虫からなる群から選択される１以上を生物農薬として利用できる。剤型は、ウスチャバネヒメカゲロウの卵および／または幼虫および／または蛹および／または成虫が入った瓶その他の容器が適している。使用に際しては、ウスチャバネヒメカゲロウの卵および／または幼虫および／または蛹および／または成虫を瓶その他の容器または袋等に入れ、これを圃場や施設（ハウス）内に散布または設置するだけでよい。
【０００９】
ウスチャバネヒメカゲロウの生産は、ウスチャバネヒメカゲロウの餌となるアブラムシ類の好む植物体を用いてウスチャバネヒメカゲロウを大量増殖する。このとき、増殖環境温度を20〜30℃に保つのがよい。
【００１０】
ウスチャバネヒメカゲロウはアブラムシ類を捕食する天敵であり、日本国内で沖縄島を含む奄美諸島以南で生息が確認されている土着天敵である（東  清二、  2002）。また、本種は様々な果菜類に発生しているアブラムシ類を捕食する。従って、ウスチャバネヒメカゲロウを用いた生物農薬は、環境に対する安全性および効果面において優れた害虫防除資材である。
【００１１】
次に、本発明の技術的課題を解決するための手段と作用を挙げて説明する。請求項１は、少なくともウスチャバネヒメカゲロウが害虫防除用の生物農薬として管理されている生物であることを特徴とする害虫防除用生物農薬である。このように、ウスチャバネヒメカゲロウを害虫防除用の生物農薬として大量増殖し、管理して使用することによって、アブラムシ類を効果的に防除できる。しかも、ウスチャバネヒメカゲロウは、沖縄島を含む奄美諸島以南で生息が確認されている土着の天敵であるため、圃場へ放飼しても国内の生態系への影響は少なく、極めて安全な生物的防除手段といえる。
【００１２】
請求項２は、ウスチャバネヒメカゲロウが卵、幼虫、蛹および成虫からなる群から選択される１以上であることを特徴とする請求項１に記載の生物農薬である。このように、ウスチャバネヒメカゲロウは成虫に限らず、卵でも幼虫でも蛹でも、アブラムシ類に対する生物農薬として利用できる。
【００１３】
請求項３は、剤型がウスチャバネヒメカゲロウの卵および／または幼虫および／または蛹および／または成虫が入った瓶その他の容器または袋類であることを特徴とする請求項１または請求項２に記載の生物農薬である。このように、剤型が、ウスチャバネヒメカゲロウの卵および／または幼虫および／または蛹および／または成虫が入った瓶その他の容器または袋類であるため、生物農薬としての使用、管理や取り扱いが簡便かつ安全である。
【００１４】
請求項４は、防除対象害虫がアブラムシ類であることを特徴とする請求項１、請求項２または請求項３に記載の生物農薬である。このように、ウスチャバネヒメカゲロウは、アブラムシ類を対象とした天敵農薬とする場合に、特に有効である。
【００１５】
請求項５は、ウスチャバネヒメカゲロウの卵および／または幼虫および／または蛹および／または成虫を害虫防除のための天敵として使用することを特徴とする害虫防除方法である。このように、ウスチャバネヒメカゲロウの卵および／または幼虫および／または蛹および／または成虫を天敵として使用する害虫防除方法によると、特にアブラムシ類に対して顕著な防除効果を奏する。
【００１６】
請求項６は、ウスチャバネヒメカゲロウの卵および／または幼虫および／または蛹および／または成虫をスチロール片、小紙片に付着、または瓶その他の容器または袋類に入れ、これを圃場に散布、あるいは設置することにより害虫を防除することを特徴とする請求項５に記載の害虫防除方法である。このように、ウスチャバネヒメカゲロウの卵および／または幼虫および／または蛹および／または成虫をスチロール片、小紙片に付着、または瓶その他の容器または袋類に入れ、これを圃場やハウス内に散布あるいは設置する害虫防除方法によると、作業は簡単であり、また周囲の環境を汚染したりすることもなく、安全かつ効果的に目的とする害虫を防除できる。
【００１７】
請求項７は、ウスチャバネヒメカゲロウの餌となるアブラムシ類の好む植物体を用いてウスチャバネヒメカゲロウを大量増殖することを特徴とする害虫防除用生物農薬の生産方法である。このように、ウスチャバネヒメカゲロウの餌となるアブラムシ類の好む植物体を用いてウスチャバネヒメカゲロウを大量増殖する方法によると、ウスチャバネヒメカゲロウを効果的に大量増殖できる。
【００１８】
請求項８は、ウスチャバネヒメカゲロウを大量増殖するための環境温度を20〜30℃にすることを特徴とする請求項７に記載の害虫防除用生物農薬の生産方法である。このように、ウスチャバネヒメカゲロウを大量増殖するための環境温度を20〜30℃に保つことにより、ウスチャバネヒメカゲロウの生息環境を良好に維持して、大量増殖を容易に実現できる。
【００１９】
請求項９は、ダンボールを使って蛹を回収することを特徴とする請求項７または請求項８に記載の害虫防除用生物農薬の生産方法である。このように、例えば厚さ４〜５ｍｍのダンボール片を増殖容器に入れておくと、幼虫はダンボール片の穴に入って蛹になるので、これを集めて成虫が羽化するのを待つ。このように、ダンボールを使って蛹を回収する方法によると、成虫を効率よく一つの容器に集め、採卵することが可能になる。
【００２０】
請求項１０は、スチロール片などのような発泡樹脂片を使って卵を回収することを特徴とする請求項７、請求項８または請求項９に記載の害虫防除用生物農薬の生産方法である。ウスチャバネヒメカゲロウは、無機質で清潔なスチロール片等に産卵する性質を有するので、この性質を利用して、スチロール片などの発泡樹脂片を使った衛生的な環境で卵を回収すると、ウスチャバネヒメカゲロウが病害を受けにくく安全かつ容易に卵を回収することが可能になる。
【００２１】
請求項１１は、吸引手段を有する装置を使って成虫を瓶その他の容器または袋類に回収することを特徴とする請求項７、請求項８、請求項９または請求項１０に記載の害虫防除用生物農薬の生産方法である。このように、吸引手段を有する装置を使って成虫を瓶その他の容器または袋類に回収する方法によると、羽根を持った成虫でも容易に容器に回収できる。
【発明の効果】
【００２２】
以上のように、請求項１から請求項４に記載のウスチャバネヒメカゲロウを用いた生物農薬によると、天敵作用によってアブラムシ類を効果的に防除でき、しかも、ウスチャバネヒメカゲロウは、沖縄島や奄美諸島以南に生息する土着の天敵生物であるため、圃場やハウス内に放飼しても国内の生態系への影響は少なく、環境に負荷をかけずに、害虫を防除できる。ウスチャバネヒメカゲロウは成虫に限らず、卵でも幼虫でも蛹でも、アブラムシ類に対する生物農薬として利用でき、その剤型は、ウスチャバネヒメカゲロウの卵や幼虫、蛹、成虫の入った瓶その他の容器または袋類であるため、生物農薬としての管理や取り扱いが簡便でかつ安全である。
【００２３】
また、請求項５、請求項６のように、ウスチャバネヒメカゲロウの卵や幼虫、蛹、成虫を天敵として使用する害虫防除方法によると、特にアブラムシ類に対して顕著な防除効果を奏する。使用方法は、ウスチャバネヒメカゲロウの卵や幼虫、蛹、成虫をスチロール片、小紙片に付着、または瓶その他の容器または袋類に入れて、圃場やハウス内に散布あるいは設置するだけでよく、作業は簡単で、周囲の環境を汚染したりする恐れはない。
【００２４】
請求項７、請求項８に記載の大量増殖方法のように、ウスチャバネヒメカゲロウの餌となるアブラムシ類の好む植物体を用い、しかも環境温度を20〜30℃に保つ増殖方法によると、ウスチャバネヒメカゲロウの好む餌と生息環境を良好に維持して、大量増殖を行うことができる。
【００２５】
請求項９のようにダンボールを使って蛹を回収したり、請求項１０のようにスチロール片を使って卵を回収する生産方法によると、ウスチャバネヒメカゲロウ特有の性質を利用することによって、ウスチャバネヒメカゲロウを効果的に大量増殖できる。また、請求項１１のように、吸入手段を有する装置を使って、羽根のある成虫を瓶その他の容器または袋類に回収する方法によると、羽根を持った成虫でも容易にかつ損傷なしに容器等に回収できる。以上のように、天敵となるウスチャバネヒメカゲロウを簡便かつ効率的に増殖でき、大量安定生産が可能となる。
【発明を実施するための最良の形態】
【００２６】
次に本発明によるウスチャバネヒメカゲロウを含む生物農薬が実際上どのように具体化されるか実施形態を説明する。本発明による生物農薬の圃場への導入は、ウスチャバネヒメカゲロウが卵、幼虫、蛹または成虫いずれの生育段階であっても、長期の効果が得られる。特に、卵または幼虫を導入すると防除効果がより即効的に表れる。剤型としては、卵および／または幼虫を付着させたスチロール片、蛹を貼付した小紙片、または成虫を入れた瓶その他の容器類が流通面、使用面いずれにおいても好適である。使用に際しては、前記のスチロール片、小紙片または瓶を防除を要する圃場に散布、あるいは設置するという極めて簡便な方法により、対象害虫に対する優れた防除効果が得られる。
【００２７】
生物農薬の普及においては、目的とする生物個体を大量に安定供給するシステムの確立が不可欠である。ウスチャバネヒメカゲロウの場合、その大量増殖は、ウスチャバネヒメカゲロウの餌となるアブラムシ類をアブラナ科植物を用いて増殖することによって容易に行うことができる。
【００２８】
ウスチャバネヒメカゲロウの餌にはアブラムシ類を用いる。アブラムシ類は、カイワレダイコンなどのアブラナ科植物を用いて増殖する。アブラナ科植物の種子を育苗用ポットなどに播種し、２０〜３０℃下で７〜１０日育成した後、アブラムシ類を接種し、２０〜３０℃下に７〜１０日置いて、その間に増殖したアブラムシ類をウスチャバネヒメカゲロウの餌とする。カイワレダイコンの種子などは比較的安価に入手できるので、この方法によって、ウスチャバネヒメカゲロウの餌を比較的安価に生産することができる。
【００２９】
ウスチャバネヒメカゲロウの増殖は、図１のような、通気性を持たせた半密閉容器１を用いて行う。図示例のウスチャバネヒメカゲロウ増殖容器１は、密閉蓋付きのバケツで、縦×横×高さ：３０×３０×３０ｃｍであり、網などを張った通気窓２を設けてある。密閉蓋３は、例えば半透明のポリエチレン製である。この増殖容器１内に、幼虫の生活空間を確保するための足場となるスチロールネット４や紙片などを入れておく。そして、前記のアブラムシ６が増殖しているアブラナ科植物５を切り入れておくと、アブラムシを餌にして、ウスチャバネヒメカゲロウが卵から蛹になるまで育つ。アブラムシ６のついた植物体５および足場となるスチロールネット４や紙片などは、容器１内に適宜重ねる形で追加する。
【００３０】
幼虫から成長したウスチャバネヒメカゲロウの蛹は、ダンボール片を用いて回収する。例えば、貫通穴の深さが４〜５ｍｍとなるようにカットしたダンボール片を前記の増殖容器１内に入れておくと、幼虫はダンボール片の穴に入って蛹になる。これを集めて別の容器すなわち図３の成虫羽化容器15に移し、成虫が羽化するのを待つ。この回収方法によって、成虫を効率よく一つの容器に集め、採卵することが可能になる。なお、密閉蓋３の内面に、前記のダンボール片７を接着しておくこともできる。このとき、貫通穴の一端が接着されるので、貫通穴の上端は塞がれることになる。
【００３１】
ウスチャバネヒメカゲロウの卵は、図２のようなスチロール片８を用いて回収すると便利である。半密閉性の容器に、前記の方法で集めたウスチャバネヒメカゲロウの成虫を入れ、さらにスチロール片８を入れておくと、成虫はスチロール片８の表面に産卵する。産卵したスチロール片は３〜４日おきに回収する。この時、成虫の餌としてアブラムシ類を十分に与える。
【００３２】
ウスチャバネヒメカゲロウの成虫は、無機質で清潔なスチロール片８に好んで産卵する性質が特徴であるので、この性質を利用して、スチロール片を使って衛生的な環境で卵を回収する。その結果、ウスチャバネヒメカゲロウが病害を受けにくく、安全かつ容易に卵を回収して、次代の増殖を始めたり、卵散布に利用できる。すなわち、前記したスチロール片８を圃場やハウス内に散布する。なお、発泡樹脂製の片であればよく、スチロールに限定されない。
【００３３】
このような増殖方法と装置によってウスチャバネヒメカゲロウを大量かつ安価に生産することが可能である。アブラムシ類の餌となるアブラナ科植物５としてカイワレダイコンを用いた場合、種子５０〜６０粒を播種したポット１つ当たり最大29.2頭のウスチャバネヒメカゲロウの成虫を生産することができる。採卵から羽化までにかかる時間は、約２５℃下でほぼ１４〜１６日である。
【００３４】
前記のように成虫を散布する場合は、瓶詰めが好適な剤型である。ウスチャバネヒメカゲロウの成虫は、瓶詰めするには、図３のように、電気掃除機などの吸引機を利用して、増殖容器から瓶に回収するのが簡便である。図３は、ウスチャバネヒメカゲロウ成虫を瓶に詰める装置の原理図である。瓶９は、例えば高さ９cm、直径７cmの筒型で、
その蓋に、直径７mmの吸入口１０と５０mmサイズの通気口11があり、この通気口11は目合い１mmのネットが張られている。この通気口11を、家庭用の電器掃除機などの吸引機１２にホース１３で接続しておく。
【００３５】
一方、回収瓶９の７mm穴１０をビニール製のホース１４を介して、前記の成虫羽化容器１５に接続することより、そこからヒメカゲロウの成虫が、ホース１４を経て回収瓶９の中に吸入される。５０mm穴11からは、回収瓶９中の空気のみが掃除機の吸引機１２に吸い込まれる仕組みになっているので、回収瓶９内にヒメカゲロウのみが残ることになる。この瓶詰め装置は、「瓶出口（吸引側）11の径／入り口10の径」の比が大きくなるように工夫されているので、吸引機による負圧で成虫が圧死するような恐れはない。こうして成虫を回収した瓶９は、そのまま生物農薬の製品として販売したり、圃場やハウス内に配置して開口すれば、生物農薬としてそのまま使用できる。以上の実施形態は、本発明の内容をよりわかりやすく説明するためのものであって、本発明の権利範囲を制限するものではない。例えば、回収瓶９は、合成樹脂製その他の各種容器でも代用できる。また、瓶９中に回収した成虫をビニール袋や紙袋などに移し替えて剤型とすることもできる。ウスチャバネヒメカゲロウが逃げ出しさえしなければ、ネット（網）製の袋でもよい。
【００３６】
以下に本発明による生物農薬であるウスチャバネヒメカゲロウのワタアブラムシに対する圃場での効果を実施例を挙げて実証する。
【００３７】
実施例１
図４は、本発明による生物農薬の卵散布を行ったときのワタアブラムシに対する圃場における防除効果を係数し表示したグラフである。本試験は、ワタアブラムシが発生した沖縄県農業試験場内のビニールハウスにおけるキュウリ圃場（２６株）において行った。ウスチャバネヒメカゲロウの卵を付着させた図２のようなスチロール片を、株あたり約１００卵の割合で２回散布した。そして、５cm×５cm枠内のアブラムシの個体数をカウントし、それを効果の指標とした。その結果、図示のように、天敵放飼１４日後からアブラムシの数が急激に減少し始め、３５日後まで低密度に抑えられた。これは、アブラムシがウスチャバネヒメカゲロウの餌となったからであり、従って、本発明による生物農薬の卵散布はワタアブラムシに対して防除効果のあることが判明した。
【００３８】
実施例２
図５は、本発明による生物農薬の成虫散布を行ったときのワタアブラムシに対する圃場における防除効果を係数し表示したグラフである。本試験は、ワタアブラムシが発生した沖縄県農業試験場内のビニールハウスにおけるキュウリ圃場（３０株）において行った。ウスチャバネヒメカゲロウの成虫６０匹の入った瓶を開口し、均質になるように散布した。そして、５cm×５cm枠内のアブラムシの個体数をカウントし、それを効果の指標とした。その結果、図示のように、天敵放飼から１３日後にアブラムシの数が急激に減少し、低密度に抑えられた。これは、アブラムシがウスチャバネヒメカゲロウの餌となったからであり、従って、本発明による生物農薬の成虫散布はワタアブラムシに対して防除効果があることが判明した。
【産業上の利用可能性】
【００３９】
以上のように、本発明によると、土着天敵であるウスチャバネヒメカゲロウを利用した生物農薬を用いて、環境に負荷をかけずに、また国内の生態系に影響を与えずに、アブラムシ類の防除が可能である。しかも、本発明のウスチャバネヒメカゲロウの大量増殖法によれば、これまで大量増殖法が確立されていなかったウスチャバネヒメカゲロウを簡便かつ効率的に増殖せしめ、生物農薬の大量安定生産が可能となる。その結果、果菜や花き類の重要害虫であるアブラムシ類に対し効果の高い生物的防除が可能となり、わが国の農業生産の向上に寄与できる。
【図面の簡単な説明】
【００４０】
【図１】ウスチャバネヒメカゲロウの増殖容器の実施形態を示す斜視図である。
【図２】ウスチャバネヒメカゲロウの卵を産み付けるのに用いるスチロール片の斜視図である。
【図３】ウスチャバネヒメカゲロウの成虫を瓶に詰める装置の原理図である。
【図４】本発明による生物農薬（卵を散布した場合）のワタアブラムシに対する圃場での効果を示したグラフである。
【図５】本発明による生物農薬（成虫を散布した場合）のワタアブラムシに対する圃場での効果を示したグラフである。
【符号の説明】
【００４１】
１  増殖容器
２  通気口
３  密閉蓋
４  幼虫の足場となるスチロールネット
５  アブラナ科植物
６  アブラムシ
７  蛹回収用ダンボール片
８  産卵用のスチロール片
９  ウスチャバネヒメカゲロウ成虫回収兼散布用の瓶
１０  瓶入り口
１１  空気出口
１２  吸引機
１３  ホース
１４  ビニールホース
１５  成虫羽化容器
【図１】
2005272353.tif 000003
【図２】
2005272353.tif 000004
【図３】
2005272353.tif 000005
【図４】
2005272353.tif 000006
【図５】
2005272353.tif 000007